(57)【要約】【課題】  装置自体の構造の複雑化や長い調整時間を要することなく全く新しい外観の呈示を可能とする噴水装置を提供する。【解決手段】  水を加圧して吐出することにより噴水柱Ａを形成する噴水発生機構３と、上記水に気体又は液体の燃料を混入させる燃料供給機構４と、該混入された燃料に点火する点火機構５とを備えた。【選択図】    図１
2005081172.tif 000002
【特許請求の範囲】
【請求項１】
水を加圧して吐出することにより噴水柱を形成する噴水発生機構と、上記水に気体又は液体の燃料を混入させる燃料供給機構と、該混入された燃料に点火する点火機構とを備えたことを特徴とする噴水装置。
【請求項２】
請求項１において、上記噴水柱は上方に延びるように形成され、該噴水柱の上側にて炎が形成されることを特徴とする噴水装置。
【請求項３】
請求項１において、上記噴水柱は上方に延びるように形成され、該噴水柱の内部にて炎が形成されることを特徴とする噴水装置。
【請求項４】
請求項３において、上記水に燃料と共に空気を混入させることを特徴とする噴水装置。
【請求項５】
請求項１ないし３の何れかにおいて、上記燃料を、加圧後の水又は加圧前の水に供給することを特徴とする噴水装置。
【請求項６】
請求項１ないし５の何れかにおいて、上記噴水発生機構は、水中に配置され、先端開口部が水面付近に位置する筒状の噴射ノズルと、該噴射ノズルに加圧水を供給するポンプとを備えており、上記燃料供給機構は、燃料供給源と、該燃料供給源を上記噴射ノズルの途中に接続する燃料供給通路と、該燃料供給通路の途中に介設されて燃料圧力及び燃料流量を調整する流量調整弁とを備えており、上記点火機構は、上記噴射ノズルの出口付近に配置されたパイロットバーナと、該パイロットバーナに点火火花を供給するスパークロッドとを備えていることを特徴とする噴水装置。
【発明の詳細な説明】
【技術分野】
【０００１】
本発明は、例えば池の水面上方に水を吐出して例えば棒状の噴水柱を形成するようにした噴水装置に関する。
【背景技術】
【０００２】
従来の噴水装置は、水中に配置した噴射ノズルに加圧ポンプを接続し、該ポンプで加圧した水を噴射ノズルから上方に吐出して噴水柱を形成するように構成されており、これらの噴水柱を例えばドーム形の姿態をなすように形成して人の目を楽しませるように各種の工夫がなされている（例えば特許文献１参照）。
【特許文献１】実公平６−３２８７０号公報
【発明の開示】
【発明が解決しようとする課題】
【０００３】
しかし上記従来の噴水装置は、創作的で美しい外観を得るためには装置自体の構造が極めて複雑となり、また熟練者であっても細心の注意と長い調整時間を要し、さらに水圧の変動等で所要の形態を継続的に維持するのは困難であるといった問題がある。
【０００４】
本発明は、上記従来の状況に鑑みてなされたものであり、装置自体の構造の複雑化や長い調整時間を要することなく全く新しい外観の呈示を可能とする噴水装置を提供することを課題としている。
【課題を解決するための手段】
【０００５】
請求項１の発明は、水を加圧して吐出することにより噴水柱を形成する噴水発生機構と、上記水に気体又は液体の燃料を混入させる燃料供給機構と、該混入された燃料に点火する点火機構とを備えたことを特徴とする噴水装置である。
【０００６】
ここで請求項１の発明における噴水柱には、水面上方に噴出するように形成されるものだけでなく、単に空中に形成されるものも含まれる。また点火機構には、パイロットバーナ等を用いた自動式のものだけでなく手動式のものも含まれる。
【０００７】
請求項２の発明は、請求項１において、上記噴水柱は上方に延びるように形成され、該噴水柱の上側にて炎が形成されることを特徴としている。
【０００８】
請求項３の発明は、請求項１において、上記噴水柱は上方に延びるように形成され、該噴水柱の内部にて炎が形成されることを特徴としている。
【０００９】
請求項４の発明は、請求項３において、上記水に燃料と共に空気を混入させることを特徴としている。
【００１０】
請求項５の発明は、請求項１ないし３の何れかにおいて、上記燃料を、加圧後の水又は加圧前の水に供給することを特徴としている。
【００１１】
請求項６の発明は、請求項１ないし５の何れかにおいて、上記噴水発生機構は、水中に配置され、先端開口部が水面付近に位置する筒状の噴射ノズルと、該噴射ノズルに加圧水を供給するポンプとを備えており、上記燃料供給機構は、燃料供給源と、該燃料供給源を上記噴射ノズルの途中に接続する燃料供給通路と、該燃料供給通路の途中に介設されて燃料圧力及び燃料流量を調整する流量調整弁とを備えており、上記点火機構は、上記噴射ノズルの出口付近に配置されたパイロットバーナと、該パイロットバーナに点火火花を供給するスパークロッドとを備えていることを特徴としている。
【発明の効果】
【００１２】
請求項１の発明によれば、水を加圧して吐出することにより噴水柱を形成するとともに、上記水に気体又は液体の燃料を混入させ、該混入された燃料に点火するようにしたので、あたかも噴水柱が燃えているかのような全く新規な外観を呈示することができ、人の目を楽しませることができる。
【００１３】
本発明における炎の形成態様には各種のものがあり、請求項２の発明におけるように噴水柱の上側にて形成され、あるいは請求項３の発明におけるように噴水柱の内部にて形成され、いずれの場合にも全く新規な外観を呈することができる。また噴水柱の内部にて炎を形成する場合には、請求項４の発明のように、上記水に燃料と共に空気を混入させることが有効であり、これにより噴水柱の内部にて炎が明確な形で形成される。
【００１４】
また本発明における燃料の混入方法には各種のものが採用可能であり、該燃料は、請求項５の発明に示すように加圧後の水（ポンプの吐出側の水）に供給され、あるいは加圧前の水（ポンプ吸込側の水）に供給され、いずれの場合にもこの混入された燃料に点火することにより上述の噴水柱が燃え上がっているかのような新規な外観を呈することができる。
【００１５】
請求項６の発明によれば、筒状の噴射ノズルにポンプで加圧水を供給し、燃料供給源を燃料供給通路で上記噴射ノズルの途中に接続し，該燃料供給通路の途中に流量調整弁を介設し、上記噴射ノズルの出口付近にパイロットバーナを配置し、該パイロットバーナにスパークロッドで点火火花を供給するようにしたので、上述の噴水柱が燃え上がっているような外観を実現できる。
【発明を実施するための最良の形態】
【００１６】
以下本発明の実施形態を添付図面に沿って説明する。図１は本発明の一実施形態による噴水装置を模式的に示す構成図である。
【００１７】
図において、１は噴水装置であり、これは例えば噴水池２内に設置された噴水発生機構３と、該噴水発生機構３による噴水柱にガス燃料を混入させる燃料供給機構４と、上記噴水柱に混入されたガス燃料に点火する点火機構５とを備えている。
【００１８】
上記噴水発生機構３は、噴水池２の底面に設置され、該噴水池２内の水を吸引し、所定圧力に加圧して吐出する水中ポンプ６と、該ポンプ６の吐出口に流量・圧力調整弁７を介して接続され垂直上方に延びる噴射ノズル８とを備えている。この噴射ノズル８は所要の径，長さを有する円筒状のもので、その上端の開口部８ａが水面WLより少し上方に突出するように水中に配置されている。
【００１９】
上記燃料供給機構４は、噴水池２の外部に配置されたガス供給源（ＬＰガスタンク）９と、該ガス供給源９と上記噴射ノズル８内に突出するように配置されたガスノズル１０ａとを連通接続するガス供給通路１０と、該ガス供給通路１０の途中に介設されたニードル弁，減圧弁からなりガス圧力及び流量を調整する流量調整弁１１ｂと、該ガス供給通路１０を開閉する電磁遮断弁１１ａと、上記ガスノズル１０ａの上流側直近に介設され、ポンプ６からの加圧水がガス供給源９側に逆流するのを阻止する逆止弁１１ｃとを備えている。
【００２０】
上記点火機構５は、上記噴射ノズル８の開口部８ａの下流側直近に配置され噴水柱Ａに向けて燃料ガスを噴射するパイロットバーナ１２ａと、該パイロットバーナ１２ａに上記ガス供給通路１０を連通させる分岐通路１０ｂと、該分岐通路１０ｂの途中に介設されたニードル弁，減圧弁からなりガス圧力及び流量を調整する流量調整弁１２ｃと、該分岐通路１０ｂを開閉する電磁遮断弁１２ｂとを備えている。
【００２１】
また上記点火機構５は、上記パイロットバーナ１２ａの吐出部にて点火用火花を発生させるスパークロッド１２ｄと、該スパークロッド１２ｄに高圧ケーブル１２ｅで接続され、該スパークロッド１２ｄに高電圧を供給して火花を発生させるイグナイタ１２ｆとを備えている。
【００２２】
本実施形態の噴水装置１では、噴水発生機構３のポンプ６により噴水池２の水が吸引加圧されて噴射ノズル８から吐出され、所要形状の噴水柱Ａが形成される。また分岐通路１０ｂの電磁遮断弁１２ｂが開かれてガスがパイロットバーナ１２ａに供給されるとともに、スパークロッド１２ｄからの点火火花によりパイロットバーナ１２ａが点火される。そして所定の炎形成タイミングでガス供給通路１０の電磁遮断弁１１ａが開かれてガスが噴射ノズル８内に細かい気泡状でもって供給され、噴射ノズル８の開口部８ａのパイロットバーナ１２ａからの炎により点火され、該噴水柱Ａの上側にて大きな炎Ｂが該噴水柱と同方向に延びるように形成される。より詳細には、上記噴射ノズル８内にて供給されたガスの一部は開口部８ａを通過すると噴水柱Ａの外表面に洩れ出すこととなり、この洩れ出たガスが燃焼しつつ上昇し、噴水柱Ａの上端部分で内部のガスが外気に触れ、大きな炎Ｂが形成される。なお、上記噴水柱Ａの外表面に洩れ出すガスの量は僅かであるため、これが燃焼しても肉眼ではほとんど見えない。
【００２３】
このように本実施形態では、噴射ノズル８内のポンプ６からの加圧された水にガスを混入させ、該ガスに噴射ノズル８の開口部８ａ付近で点火するようにしたので、噴水柱Ａの上側にて大きな炎Ｂを発生させることができ、従来提供されていない全く新規な外観を呈示することができ、人の目を楽しませることができる。
【００２４】
なお、上記実施形態では、ガス燃料を使用したが、本発明では液体燃料を使用することも可能であり、また上記実施形態ではガス燃料をポンプ６で加圧された水中に供給したが、ポンプ６の吸込み側に液体燃料を供給することも可能である。
【００２５】
また上記実施形態では、噴水柱の上側にて炎が形成される場合を説明したが、本発明では噴水柱の内部にて炎を形成することも可能であり、このようにする場合には、予め空気が混合された燃料を噴射ノズル内に供給するのが望ましい。
【００２６】
また上記実施形態では、噴水ノズル８の開口部８ａ付近で点火した場合を説明したが、点火位置についての制限はなく、例えば噴水柱Ａの上端付近で点火してもよく、さらにまた点火方法についての制限もなく、例えば手動で点火しても良い。
【図面の簡単な説明】
【００２７】
【図１】本発明の一実施形態による噴水装置の模式図である。
【符号の説明】
【００２８】
１  噴水装置
３  噴水発生機構
４  燃料供給機構
５  点火機構
６  ポンプ
８  噴射ノズル
８ａ  先端開口部
９  燃料供給源
１０  燃料供給通路
１１ｂ  流量調整弁
１２ａ  パイロットバーナ
１２ｂ  スパークロッド
Ａ  噴水柱
Ｂ  炎
WL  水面
【図１】
2005081172.tif 000003